(57)【要約】同じような好みを有するコミュニティにより個人を楽しませるための方法（９００）。ユーザアカウントから得られた情報（９１０）がコミュニティのベースを形成し（９２０）、更に二次的な好みによって、他の加入者は、コミュニティの他のメンバーの明示する好みによる幅の広い嗜好という恩恵を享受することができる。更に、１つの好みを共通して共有する各個人が他の好みも同様に共有し得ると仮定すると、本方法により、「ファンステーション（ｆａｎ ｓｔａｔｉｏｎ）」を視聴することを選択した人達が、ファンコミュニティ全体（９３０）として明示された好みに従った同様の音楽若しくはその他のデータストリームを楽しむことが可能となる。
2004503151.tif 000002
【特許請求の範囲】
【請求項１】
コミュニティの好みに従ったデータストリーム送信の提供方法（９００）であって、
第１データストリームの中のコンテンツに関して好みを明示する第１コミュニティを提供するステップ（９１０）と、
決定された特性を提供するべく前記第１データストリームに関して前記好みの特性を決定するステップ（９２０）と、
個々のデータストリームが明示された前記好みに従って偏りが付けられるように、決定された前記特性に従って個々のデータストリームに偏りを付けるステップ（９３０）と、
個々の前記データストリームを送信するステップ（９４０）とを有し、
個々の前記データストリームが、前記コミュニティが好むコンテンツをより多く含み、且つ前記コミュニティが好まないコンテンツをより少なく含むことを特徴とするコミュニティの好みに従ったデータストリーム送信の提供方法。
【請求項２】
個々のデータストリームに偏りを付ける前記ステップが更に、
個々のデータストリームに前記コミュニティの正の好みにより従うように、且つ前記コミュニティの負の好みにより反するように偏りが付けられるように、決定された前記特性に従って個々のデータストリームに偏りを付けるステップを有することを特徴とする請求項１に記載のコミュニティの好みに従ったデータストリーム送信の提供方法。
【請求項３】
コミュニティを提供する前記ステップが更に、
第２データストリームの中のコンテンツに関して好みを明示する第２コミュニティを提供するステップと、
前記第２コミュニティの前記好みを評価するステップと、
前記第１コミュニティのメンバーが共通の好みを持つように、前記第２コミュニティから前記第１コミュニティを決定するステップとを有し、
前記第１コミュニティがより大きい第２コミュニティから生じ、
更に、前記第１コミュニティは共通の好みを持つことによって決定されることを特徴とする請求項１に記載のコミュニティの好みに従ったデータストリーム送信の提供方法。
【請求項４】
個々のデータストリームに偏りを付ける前記ステップが更に、
ＤＭＣＡを順守するように個々の前記データストリームに偏りを付けるステップを有することを特徴とする請求項１に記載のコミュニティの好みに従ったデータストリーム送信の提供方法。
【請求項５】
個々の前記データストリームを送信する前記ステップが更に、
個人が個々の前記データストリームを随意的に、若しくは選択的に受信することが可能となるように、個々の前記データストリームを随意的若しくは選択可能な方法で送信するステップを有することを特徴とする請求項１に記載のコミュニティの好みに従ったデータストリーム送信の提供方法。
【請求項６】
コミュニティの好みに従ったデータストリーム送信の提供方法（９００）であって、
第１データストリームの中のコンテンツに関して好みを明示する第１コミュニティを提供するステップ（９２０）と、
第２データストリームの中のコンテンツに関する第２の好みを明示する第２コミュニティを提供するステップ（９１０）と、
前記第２コミュニティの前記第２の好みを評価するステップと、
前記第１コミュニティがより大きい第２コミュニティから生じるように、メンバーが第１の好みを共通に持つ前記第１コミュニティを前記第２コミュニティから決定するステップであって、第１の好みを共通に持つことによって前記第１コミュニティが決定されるステップと、
決定された特性を提供するべく、前記第１データストリームに関して前記第１の好みの特性を決定するステップ（９３０）と、
決定された前記特性に従って個々のデータストリームに偏りを付けるステップであって、個々の前記データストリームに決定された前記特性に従って偏りを付け、更に、個々の前記データストリームが前記第１コミュニティの正の第１の好みにより従うように、且つ前記第１コミュニティの負の第１の好みにより反するように偏りを付けるステップと、
個人が個々の前記データストリームを随意的若しくは選択的に受信することが可能となるように、個々の前記データストリームを随意的若しくは選択可能な方法で送信するステップ（９４０）とを有し、
個々の前記データストリームが、前記コミュニティが好むコンテンツをより多く含み、且つ前記コミュニティが好まないコンテンツをより少なく含むことを特徴とするコミュニティの好みに従ったデータストリーム送信の提供方法。
【発明の詳細な説明】
【０００１】
（技術分野）
本発明は、データベース生成及びデータストリーム送信に関し、特に、同じ嗜好を楽しむ加入者若しくは愛好者のコミュニティによる偏りを持たせたデータストリーム送信の方法に関する。
【０００２】
（背景技術）
オンライン環境では、デジタル娯楽はデジタル・ミレニアム著作権法（ＤＭＣＡ、１９９８年のデジタル・ミレニアム著作権法、公法１０５〜３０４）に基づくアメリカ合衆国の法令によって制限されている。オンライン娯楽の合法的なプロバイダはＤＭＣＡに加盟して、インターネット若しくはその他のオンライン環境に発信される著作権のある作品に対してのライセンス料を支払わなければならない。さもなくば、そのようなプロバイダは著作権侵害の責任を負わされる。
【０００３】
デジタル・ミレニアム著作権法（ＤＭＣＡ）は、オンライン送信される著作権のある作品に対する保護を扱っている。ＤＭＣＡは、楽曲をストリームするＷＥＢサイトに法廷ライセンス資格を与え、所定の必要条件を満たしている限り、著作権のある楽曲の録音を実行することができる。これら必要条件は、数ある中で、３時間を越えてストリーミングしない、同じレコードから３曲より多く若しくは連続して２曲より多くストリーミングしない、同じレコードのアーティストやアンソロジーから４曲より多く若しくは連続して３曲より多くストリーミングしないことによって、更に、例えばユーザがオンデマンドのプログラムを固有に作成したり若しくはリクエストしたり、指定時間にプログラムを視聴したりすることを許可しないことでインタラクティブでないフォーマットに楽曲を発信することによって順守される。更に、ＤＭＣＡに順守することは、最新の楽曲及びアーティストプレイリストを公布しないことが要求される。
【０００４】
オンライン環境で、コンテンツのプロバイダは各個人にデータフィードを「ナローキャスト」してもよく、何千もの個々のナローキャスト放送が同時に行われてもＤＭＣＡを順守し得る。例えば、個々のナローキャストがＤＭＣＡに違反しない限り、ＤＭＣＡの順守は維持される。
【０００５】
「ナローキャスティング」は当技術分野において新しいと言い得る専門用語である。情報が広範囲な方法のブロードキャストであり、通常はチャンネルを合わせた受信機を持つ人なら誰でも利用可能である「ブロードキャスティング」と対照的に、「ナローキャスティング」はＴＣＰ／ＩＰプロトコルで用いられる個々のアドレス指定が可能なデータパケットによって行われる。パケットは個々のコンピュータにアドレス指定され、インターネット上のデータ送信形式をほぼ全て含んでいる。従って、インターネット上でブロードキャスティングがなされる場合、それは各々が視聴者のコンピュータに個々にアドレス指定される必要のあるナローキャストパケットの束で概ね構成されている。これは、同じコンテンツを同時に複数のコンピュータが受信している場合でさえ当てはまる。例えパケットが同一であっても各コンピュータは個々にアドレス指定される必要がある。生演奏若しくはライブ放送等のようにインターネットコンテンツに対する要求が高い場合、送信をリクエストする全ての人に対してバンド幅が十分でない可能性がある。
【０００６】
インターネット通信及びＴＣＰ／ＩＰプロトコルのおかげで、ナローキャスティングは情報パケットを送信する基本的且つ容易な方法の１つになっている。マルチキャスティング（１９９７年度Ｄｒ．Ｄｏｂｂ’ｓ Ｊｏｕｒｎａｌ誌、Ｂｏｂ Ｑｕｉｎｎ著、Ｋｉｌｌｅｒ Ｎｅｔｗｏｒｋ Ａｐｐｓ Ｔｈａｔ Ａｒｅｎ’ｔ Ｎｅｔｗｏｒｋ Ｋｉｌｌｅｒｓ参照）が用いられてもよいが、オープンインターネット上でマルチキャストを実行する上で技術的な障害による欠点を有している。その他のプロトコル（ＦＴＰ等）も存在している。
【０００７】
ＬＡＵＮＣＨｃａｓｔ（登録商標）システム（ＰＣＴ国際出願番号第ＷＯ ０１／３５６６７ Ａ１号の主題である。当該特許は特に引用することを以って本明細書の一部となす）の下では、各加入者はそのユーザ／加入者のアカウントに関連して記録及び保存されている嗜好の明示によって彼ら自身のナローキャストを「調整（ｔｕｎｅ）」し得る。
【０００８】
このＬＡＵＮＣＨｃａｓｔ（登録商標）システムは、視聴者／個人の嗜好によるナローキャストに偏りを付けると同時に、ＤＭＣＡの順守を維持するための手段を提供してくれる。要求を送信し、受信し、更に（例えば）音楽データストリームに関する個人の好みの記録することによって、ＬＡＵＮＣＨ Ｍｅｄｉａ社は各個人の音楽嗜を満たすだけでなく、ＤＭＣＡも順守するデジタルオーディオフィードを加入者に提供する。個人の嗜好がわずかである場合に、ＤＭＣＡに違反する送信となるためにその個人の好みの楽曲では埋められない「放送時間（ａｉｒｔｉｍｅ）」若しくは「正味の時間（ｎｅｔｔｉｍｅ）」を埋めるために付加的な楽曲が用いられる。反対に、嗜好の幅が広い個人では、その個人の嗜好から外れる作品はデータストリーム中で極めて少数となる。
【０００９】
ある種の音楽若しくはアーティストを楽しむ人達が、別の種類の音楽若しくはアーティストも楽しむという、両者の間で明白な因果関係のない関連性が出現することが非常によくある。例えば、Ｂａｒｒｙ Ｍａｎｉｌｏｗの音楽を楽しむ個人は、高いパーセンテージでＮｅｉｌ Ｓｅｄａｋａの音楽も楽しみ、これは無作為の統計学的発生率を越えている。反対に、レーティングシステム（ｒａｔｉｎｇ ｓｙｓｔｅｍ）若しくはレーティングエンジン（ｒａｔｉｎｇ ｅｎｇｉｎｅ）によって送り出された場合、Ｂａｒｒｙ Ｍａｎｉｌｏｗを愛好する個人は過去にＮｅｉｌ Ｓｅｄａｋａの音楽を聴いたことがないにも関わらずＮｅｉｌ Ｓｅｄａｋａの音楽を歓迎し得る。
【００１０】
本発明は、ＤＭＣＡの順守を維持すると同時に視聴者若しくは消費者の楽しみのためのナローキャスト放送の性能の向上を可能にする。特定のアーティスト若しくはジャンルを取り巻く視聴者／消費者のコミュニティを関連付けることによって、オンラインデータストリーム娯楽サービスの加入者若しくは視聴者は、該当する複数のアーティスト、個々のアーティスト、複数のジャンル、及び個々のジャンルを楽しむ人達に基づいて偏りを持たされたコミュニティを用いることでデータストリームが自身の嗜好を満足させるようにされているため、より焦点の合った且つ楽しむことのできる体験を提供してもらえる。
【００１１】
本明細書中で説明されている方法は、オーディオデータストリームだけに関するものではなく、ビデオやマルチメディアを含み、嗜好の存在し得る任意の種類のデータストリームに関するものであることに注意されたい。娯楽データストリームは特に個人の嗜好の影響を強く受けるが、本発明によって、適用可能な著作権法が順守されるのと同時に、加入者及び視聴者のコミュニティの中で明示された嗜好に動的に適応していくことの必要性が解決される。
【００１２】
アドレッシングマルチキャスティング（ａｄｄｒｅｓｓｉｎｇ ｍｕｌｔｉｃａｓｔｉｎｇ）の記事には以下のものが含まれる。
【００１３】
インターネット上の
ｈｔｔｐ：／／ｗｗｗ．ｌａｙｎｅｔｗｏｒｋｓ．ｃｏｍ／ｕｓｅｒｓ／ｗｅｂｓ／ｔｃｐ＿ｕｄｐ．ｈｔｍに公表されている「Ｉｎｄｉｒａ Ｇａｎｄｈｉ Ｎａｔｉｏｎａｌ Ｏｐｅｎ Ｕｎｉｖｅｒｓｉｔｙ， Ｃｏｍｐａｒａｔｉｖｅ ａｎａｌｙｓｉｓ ＴＣＰ − ＵＤＰ」
インターネット上の
ｈｔｔｐ：／／ｗｗｗ．ｄｄｊ．ｃｏｍ／ａｒｔｉｃｌｅｓ／１９９７／９７１０／９７１０ｂ／９７１０ｂ．ｈｔｍに公表されている１９９７年１０月のＤｒ．Ｄｏｂｂ’ｓ Ｊｏｕｒｎａｌの「Ｂｏｂ Ｑｕｉｎｎ， Ｋｉｌｌｅｒ Ｎｅｔｗｏｒｋ Ａｐｐｓ Ｔｈａｔ Ａｒｅｎ’ｔ Ｎｅｔｗｏｒｋ Ｋｉｌｌｅｒｓ」
（発明の開示）
以下に付随の図面と関連して示される詳述は、本発明の現在の好適実施例を説明することを意図したものであり、本発明が構成及び／又は利用され得る唯一の形式を示すことを意図したものではない。説明では、図示された実施例と関連させて、本発明を構成及び作動させるための機能及び一連のステップを示している。しかしながら、同様にして本発明の精神及び範疇内に包含されることが意図される種々の実施例によっても、同じ若しくは同等の機能及び一連のステップが達成され得ることを理解されたい。
【００１４】
本発明は、共有の音楽的嗜好に基づいてコミュニティを設置することに帰する。楽曲に関する好み及びフィードバックを統計学的に有意な数だけ受信及び記録することによって、あるアーティストを好む人達は、そのようなアーティストのファンが識別されるような背景を形成し得る他のユーザ達から区別され得る。
【００１５】
図１〜図８は、現代のアーティストＴｏｒｉ Ａｍｏｓの例を用いて本発明の代替的な商業的プレゼンテーションを示している。ＬＡＵＮＣＨ Ｍｅｄｉａは、ライブラリの中のほぼ全てのアーティストに関して、そのアーティストによる作品の購入も含めた付加的情報へのリンクをユーザ／加入者が選択し得る、アーティストに対するホームページを保持する。ホームページのオプションとして、興味を持った個人は、そのアーティストを愛好する（この場合はＴｏｒｉ Ａｍｏｓを愛好する）ユーザ達の嗜好に基づいたオーディオストリームの聴取を選択し得る。
【００１６】
Ｔｏｒｉ Ａｍｏｓホームページ（図３、図４、図７、及び図８）のファンステーションのセクションの中のリンクの「閲覧（ｗａｔｃｈ）」、若しくは「聴く（ｌｉｓｔｅｎ）」を選択することによって、個人はＴｏｒｉ Ａｍｏｓを愛好するコミュニティに従って偏りが付けられたデータストリームを受信することができる。Ｔｏｒｉ Ａｍｏｓコミュニティは他の音楽的嗜好を共有する傾向もあるので、ファンステーションリンクセクションから得られたデータストリームもそのリンクを選択した個人を楽しませ得る。なぜならばアーティストＴｏｍ Ａｍｏｓという嗜好が一致したように、その個人の嗜好が全体としてのＴｏｒｉ Ａｍｏｓコミュニティの嗜好と一致し得るからである。
【００１７】
コミュニティの嗜好を決定するために、加入者データベースの中のそのアーティストの「ファン（ｆａｎ）」である人達だけが用いられている。用語「ファン」は、０を好きなアーティストの愛好度合いの最小値、１００を好きなアーティストの愛好度合いの最高値としたスケール１００においてＴｏｒｉ Ａｍｏｓのレートを７０以上に設定した加入者として規定することができる。この選択は任意であるが、そのコミュニティのチャンネルを聴取することを選択した人達を楽しませる若しくは大喜びさせるのに十分な偏向を反映することが必要である。
【００１８】
興味のあるコミュニティ（例えば、Ｔｏｒｉ Ａｍｏｓのファン達）を決定する上で、Ｔｏｒｉ Ａｍｏｓのファンであると指定された同様の人達から他の嗜好に関する副次的なデータが集められる。例えば、一実施例ではコミュニティの各メンバーに対してＴｏｒｉ Ａｍｏｓを除くレーティングされた他の全てのアーティストが調べられる。同じく７０以上の得点が付けられたアーティスト達が注目され、一時的にデータベース中に記録される。コミュニティの全てのメンバーの評価が集計された後、その評価の７０％に存在するアーティスト達が、Ｔｏｒｉ Ａｍｏｓファンステーションを選択した人達にナローキャストで副次的な選択音楽として音楽が送信されるアーティストとして選択され得る。
【００１９】
代替実施例では、副次的アーティストは（上述の実施例及びその他の実施例のように７０％といった）下限の閾値を設定されることなしに人気によって選択され得る。別の代替実施例では、コミュニティによってレーティングされた楽曲はアーティストのレーティングを先例として引継ぎ、それによりポートフォリオの楽曲が種々のアーティスト達による（更にコミュニティの嗜好による）ものであるのとは対照的に、個々の楽曲がコミュニティの嗜好からナローキャスト送信のために選択される。
【００２０】
この方法によってコミュニティを規定し、且つその嗜好を決定し得る。勿論、上記の例の中で示したような音楽／オーディオのデータストリームの代わりに、好み及び嗜好が反映された他のデータストリーム（ビデオ、マルチメディア、及びその他のものが含まれる）が用いられてもよい。
【００２１】
本発明は、図９に図示されている。図９に示されているように本発明９００はコミュニティに偏りを持たせたシステムを達成するためのステップを提供しており、それによりそのようなコミュニティの嗜好と一致するデータストリームが提供される。本発明の、コミュニティの偏りを持たせたオンライン再生システム９００は、まず統計学的有意性を持つデータベースを設置すること（９１０）で開始される。このデータベースは、ＬＡＵＮＣＨｃａｓｔ（登録商標）若しくは同様のシステムの全ユーザで構成される。そのような統計学的に非常に大きいデータベースは、個々の加入者のアーティストの嗜好のエントリを有する。そのような嗜好には、加入者若しくは受信者が好む若しくは好まないアルバムは勿論、好まれる（好きな）アーティストや楽曲、及び好まれない（嫌いな）アーティストや楽曲も含まれ得る。
【００２２】
加入者コミュニティ全体によって、本発明が動作するアーティストの、若しくは好みの「空間（ｓｐａｃｅ）」が概ね規定される。そのような幾何学構造的な視点を用いると、その場合にはアーティストのデータベースの一定のサブエリアが本明細書に示されたコミュニティ嗜好システム９００の対象となり得る。本発明を達成するために、コミュニティが規定されているものに従って一定の境界線が決定される必要があり、又、加入者／受信者によって明示された嗜好はこの能力範囲内で機能する。
【００２３】
統計学的有意性というのは相対的な用語である。本発明のゴールは、娯楽若しくはその他の所望のデータストリームを受信者に提供することである。本例では、データストリームは楽曲若しくは音楽ビデオである。しかしながら、データストリームの種類若しくはコンテンツに対する嗜好が明示された加入者データベースに従うようなその他のデータストリームでも、本発明を好適に用いることが可能であり、且つそれらは本明細書に示された請求項及び本発明の範囲内にある。統計的有意性は、一定の嗜好を境界付け、且つ／又は他と区別されるようにする所定の閾値基準という形で生じる。一般的には、カントリーミュージックを聴く人達がヘビーメタルの音楽も望むということないであろう。また、ラップを愛好する人達はヒップホップミュージックを聴くことも好む可能性がある。クラシック音楽を楽しむ人達はスイング（ｓｗｉｎｇ）若しくはポルカ（ｐｏｌｋａ）の音楽を楽しまないであろう。加入者及びデータストリームの両方の利用可能なデータベースによって、モーツァルト全集コミュニティチャンネル若しくはベートーベン全集コミュニティチャンネル等の一定のサブジャンルが利用可能となり得る。
【００２４】
コミュニティの偏りを持たせたデータストリームの受信者からフィードバックが得られる際に、本発明では通常、ある人がアーティスト若しくは同様のものに対する「ファン」であるとみなせるレーティング閾値として約「７０」の経験則を用いている。この「７０」というレーティングは、その個人が好きなアーティストの上位三分の一（１／３）の中に入るアーティストであることを示すものとして判断され得る。この上位１／３の領域の中にいることによってコミュニティが規定され得るが、正確な数値的基準は、加入者及びデータストリームの数同様、本発明を用いるために利用可能な「空間」の範囲に依存し得る。通常、加入者及びデータストリームのオリジナル及びプライマリのデータベースの範囲を広く且つ数を大きくすればするほど、閾値レーティングこの高く且つ排他的になる。
【００２５】
統計学的有意性を持つデータベースを設置する（９１０）上で、コミュニティの偏向を決定するための一定の基準が設けられる必要がある（９２０）。その閾値を選択する上で、統計学的有意性を持つデータベース９１０は次に、ファン若しくは加入者の嗜好に関してどのような傾向が存在するかを決定するために、フィルター、ソート、若しくは評価される。上述のように、０〜１００のスケール上で約７０を越えるアーティストのレーティングが適切且つ有意性のある閾値であるとみなされる。音楽に関する一貫性のあるテーマ若しくはジャンルを規定するためにアーティストを用いるというのは、ビバルディやモーツァルトが各々自身の個別の且つ特徴のあるスタイルを有するようにアーティスト達が同じ様な音楽若しくは同じ種類の音楽を数多く同じ方法で多く書く傾向があるという事実に起因している。
【００２６】
ファンコミュニティの傾向を決定する（９２０）上で、個々のストリーム要素の選択がされ得る（９３０）。そのようなストリーム要素は、２つの基準（適用可能なあらゆる著作権法だけでなく、ステップ９２０で設置されたコミュニティの偏りを持つ傾向）に概ね適合している。アメリカ合衆国では、デジタル・ミレニアム著作権法（ＤＭＣＡ）によって、音楽レコード及びオーディオビジュアル作品等の著作権のある作品のそのようなオンライン送信を概ね管理されている。
【００２７】
ストリーム選択ステップ９３０は、２つの送信モードで達成され得る。一方のモードは、異なる個々のストリームがコミュニティファンステーションを選択し、且つ現在の視聴者となっている異なる受信者に送信されるナローキャストモードであり得る。代わりに、１つの送信ストリームをファンステーション／コミュニティチャンネルの現在の視聴者全てに同時に配送することも可能である。これらの送信モードはいずれもＤＭＣＡを順守しており、本発明９００を実行し得る代替的な手段を提供する。
【００２８】
個人が、自分がレーティングしようと思うコミュニティチャンネル上のある楽曲を聴取すると、彼若しくは彼女（まとめて「彼」とする）はプレーヤツールを介してレーティングツールを利用できる状態にされ得る。個人によるそのようなレーティングは次に、データベース９１０の加入者としての彼の嗜好設定の中に記録される。ユーザのレーティングは、コミュニティ及び対応するチャンネルに対して選択されるストリームを決定するために用いられるデータベースの一部分を形成し得るので、データストリームセクション９３０に間接的に作用し得る。アーティストのコミュニティチャンネルに影響を及ぼすには、そのユーザがそのアーティストのファンである必要がある。
【００２９】
一度ストリームセクションのプロセス９３０が実行されると、そのストリームは次に（複数の）受信者／加入者にブロードキャストされる（９４０）。受信者は次に受信したデータストリームを楽しみ、且つそのファンステーションに加入することによって示される彼ら自身の嗜好による新しい音楽に触れることができる。従って、カントリーミュージックを好み、Ｈａｎｋ Ｗｉｌｌｉａｍｓコミュニティチャンネルを選択した個人は、彼若しくは彼女が同様に愛好する可能性のあるＰｏｒｔｅｒ Ｗａｇｎｅｒによる音楽に触れることができる。同じ事が、ラップ及びヒップホップ等の現代音楽に対しても同様に当てはまり、又、過去に産出された、現在産出されている、及び未来に産出されていく音楽スタイルにも同様に当てはまる。
【００３０】
コミュニティチャンネル／ファンステーションの適合性を保持するために、傾向を決定するステップ９２０、ストリーム選択ステップ９３０は一週間から数ヶ月の範囲に渡る一定の時間周期の後、再更新される。これによって、ある種類の音楽を愛好する人達が現今の流行に関連したスタイルから恩恵を受けることが可能となり、更に、ストリーム選択プロセス９３０が現在の嗜好を反映するように更新されることが可能となる。
【００３１】
楽曲、音楽レコード、及び音楽ビデオ等のオーディオビジュアル作品に関連するデータストリーム形式での娯楽に対して本発明が強調されてきたが、本発明はコンテンツ及び／又は種類に対する嗜好（各個人の音楽の好き嫌い等）を明示するという点において（ＤＭＣＡ等の）規制機構の順守が必要となるデータストリーム送信システムにも適用可能である。ある種の自動化されたプロセスも本発明によって恩恵を得られる場合がある。なぜならば、機械に実装されたプロセスは多種多様の条件下で作動し、多種多様の要因（例えば地理的な場所、気候、他の環境条件、その他）に応じた情報及び／又はコンテンツ依存データストリームのようなデータストリーム送信から利益を享受することがあり得るからである。例えば、データストリームは、問題解決能力を必要とする状況下で作動する人工知能システムに対して示される命令セットであってよい。
【００３２】
ソースコードのリストが、ある特定のソフトウェアの方法と共に本明細書中に示されており、それにより本発明の一実施例が達成され得る。このリストは、本発明の一実施例の完全な開示内容を提供するものと考えられている。
【００３３】
本発明は、ある好適実施例若しくは特定の実施例に関して説明されているが、本発明の範囲若しくは本発明の構想から外れることなしに種々の変化及び更なる変更がなされたり、中の要素が同等のもので置き換えられたりしてもよいことに注意されたい。更に、特定の状況若しくは材料に適合すべく本発明の教示に対して、本発明の本質的な範疇から外れることなしに、多くの修正がなされてもよい。本発明はそれゆえに、本発明を実施するために本明細書で開示された特定の実施例に制限されるものではなく、付随の請求項の範囲内に収まる全ての実施例が含まれる。
【００３４】
（発明の効果）
本発明の目的は、より娯楽性の有るオンラインデータフィードを提供することである。
【００３５】
本発明の別の目的は、（複数の）視聴者／消費者の嗜好に従って偏りを持たされたデータを提供することによって、より娯楽性の有るデータストリームを提供することである。
【００３６】
本発明の更に別の目的は、アーティスト若しくはジャンル等のデータストリームの重要な構成要素に対してコミュニティが示す嗜好に従ってデータストリームに偏りを持たせることによって、より娯楽性の有るデータストリームを提供することである。
【００３７】
本発明の更に別の目的は、アーティスト若しくはジャンル等の前記データストリームによって運ばれる音楽に対してコミュニティが示す嗜好に従ってコミュニティの偏りを持たされた音楽データストリームを提供することである。
【００３８】
これら及びその他の本発明の目的及び利点は、本明細書及び付随の図面を概観することで明らかになるであろう。
【００３９】
付録１（Ａｐｐｅｎｄｉｘ １）
【外１】
2004503151.tif 000003
【外２】
2004503151.tif 000004
【外３】
2004503151.tif 000005
【外４】
2004503151.tif 000006
【外５】
2004503151.tif 000007
【外６】
2004503151.tif 000008
【外７】
2004503151.tif 000009
【外８】
2004503151.tif 000010
【外９】
2004503151.tif 000011
【外１０】
2004503151.tif 000012
【外１１】
2004503151.tif 000013
【外１２】
2004503151.tif 000014
【外１３】
2004503151.tif 000015
【外１４】
2004503151.tif 000016
【外１５】
2004503151.tif 000017
【外１６】
2004503151.tif 000018
【外１７】
2004503151.tif 000019
【外１８】
2004503151.tif 000020
【外１９】
2004503151.tif 000021
【外２０】
2004503151.tif 000022
【外２１】
2004503151.tif 000023
【外２２】
2004503151.tif 000024
【外２３】
2004503151.tif 000025
【外２４】
2004503151.tif 000026
【外２５】
2004503151.tif 000027
【外２６】
2004503151.tif 000028
【外２７】
2004503151.tif 000029
【外２８】
2004503151.tif 000030
【外２９】
2004503151.tif 000031
【外３０】
2004503151.tif 000032
【外３１】
2004503151.tif 000033
【外３２】
2004503151.tif 000034
【外３３】
2004503151.tif 000035
【外３４】
2004503151.tif 000036
【外３５】
2004503151.tif 000037
【外３６】
2004503151.tif 000038
【外３７】
2004503151.tif 000039
【外３８】
2004503151.tif 000040
【外３９】
2004503151.tif 000041
【外４０】
2004503151.tif 000042
【外４１】
2004503151.tif 000043
付録の簡単な説明
付録は、ここで参照したことで本出願の一部とする。
【００４０】
（付録１）
本発明を実施することが可能な一実施例を提供する著作権の有るソースコードであり、制限のためではなく、例示のために示したものである。付随のこのソースコードを複製することなしに、その他のソースコード及びそれを編集したものを用いて本発明が実行されてもよい。
【図面の簡単な説明】
【図１】
図１は、アーティスト（この場合はＴｏｍ Ａｍｏｓ）に対する例示的なページを示している。
【図２】
図２は、同様の例示的なアーティストのページであり、ファンステーションのオプションが強調表示されている。
【図３】
図３は、図１及び図２に示されているファンステーションのオプションを分離して示した図である。
【図４】
図４は、図３の拡大図である。
【図５】
図５は、アーティスト（この場合はＴｏｍ Ａｍｏｓ）に対する例示的なページの代替例を示している。
【図６】
図６は、同様の例示的なアーティストのページの代替例であり、ファンステーションのオプションが強調表示されている。
【図７】
図７は、図５及び図６に示されているファンステーションのオプションの代替例を分離して示した図である。
【図８】
図８は、図７の拡大図である。
【図９】
図９は、本発明中で実行されるステップの線図である。
【図１】
2004503151.tif 000044
【図２】
2004503151.tif 000045
【図３】
2004503151.tif 000046
【図４】
2004503151.tif 000047
【図５】
2004503151.tif 000048
【図６】
2004503151.tif 000049
【図７】
2004503151.tif 000050
【図８】
2004503151.tif 000051
【図９】
2004503151.tif 000052
【国際公開パンフレット】
2004503151.tif 000053
2004503151.tif 000054
2004503151.tif 000055
2004503151.tif 000056
2004503151.tif 000057
2004503151.tif 000058
2004503151.tif 000059
2004503151.tif 000060
2004503151.tif 000061
2004503151.tif 000062
2004503151.tif 000063
2004503151.tif 000064
2004503151.tif 000065
2004503151.tif 000066
2004503151.tif 000067
2004503151.tif 000068
2004503151.tif 000069
2004503151.tif 000070
2004503151.tif 000071
2004503151.tif 000072
2004503151.tif 000073
2004503151.tif 000074
2004503151.tif 000075
2004503151.tif 000076
2004503151.tif 000077
2004503151.tif 000078
2004503151.tif 000079
2004503151.tif 000080
2004503151.tif 000081
2004503151.tif 000082
2004503151.tif 000083
2004503151.tif 000084
2004503151.tif 000085
2004503151.tif 000086
2004503151.tif 000087
2004503151.tif 000088
2004503151.tif 000089
2004503151.tif 000090
2004503151.tif 000091
2004503151.tif 000092
2004503151.tif 000093
2004503151.tif 000094
2004503151.tif 000095
2004503151.tif 000096
2004503151.tif 000097
2004503151.tif 000098
2004503151.tif 000099
2004503151.tif 000100
2004503151.tif 000101
2004503151.tif 000102
2004503151.tif 000103
2004503151.tif 000104
2004503151.tif 000105
2004503151.tif 000106
2004503151.tif 000107
2004503151.tif 000108
2004503151.tif 000109
【国際公開パンフレット（コレクトバージョン）】
2004503151.tif 000110
2004503151.tif 000111
【手続補正書】
【提出日】平成14年8月27日(2002.8.27)
【手続補正１】
【補正対象書類名】明細書
【補正対象項目名】特許請求の範囲
【補正方法】変更
【補正の内容】
【特許請求の範囲】
【請求項１】
コミュニティの好みに従ったデータストリーム送信の提供方法（９００）であって、
楽曲及び／又は音楽ビデオを含む第１音楽関連データベースから生じる第１データストリーム中のコンテンツの受信者からの明示された好みを繰返し受信するステップと、
前記第１データストリーム中の類似のコンテンツに対して類似の明示された好みを有する第１コミュニティを、明示された前記好みから繰返し決定するステップと、
決定された特性を提供するべく前記第１データストリーム中のコンテンツに関しての前記第１コミュニティの明示された前記好みだけによる特性を繰返し決定するステップ（９２０）と、
同様に前記第１音楽関係データベースから生じる個々のデータストリームが前記第１コミュニティの明示された前記好みに従って偏りを持つように、決定された前記特性に従って、個々の前記データストリームに偏りを付けるステップ（９３０）と、
個々の前記データストリームを送信するステップ（９４０）とを有し、
個々の前記データストリームが、前記第１データストリーム中の前記コンテンツの分析をすることなしに、変動する前記第１コミュニティが好むコンテンツをより多く、且つ前記第１コミュニティが好まないコンテンツをより少なく、継続的に含み、
更に、前記第１コミュニティ及び決定された前記特性が共に前記第１コミュニティの明示された前記好みに従って時系列変化することが可能となっていることを特徴とするコミュニティの好みに従ったデータストリーム送信の提供方法。
【請求項２】
個々のデータストリームに偏りを付ける前記ステップが更に、
個々の前記データストリームに前記第１コミュニティの正の好みにより従うように、且つ前記第１コミュニティの負の好みにより反するように偏りを付けるべく、決定された前記特性に従って個々のデータストリームに偏りを付けるステップを有することを特徴とする請求項１に記載のコミュニティの好みに従ったデータストリーム送信の提供方法。
【請求項３】
第１データストリーム中のコンテンツの受信者からの明示された好みを繰返し受信する前記ステップが更に、
前記第１音楽関連データベースから生じる前記第１データストリーム中のコンテンツに関して、複数のメンバーを有する第２コミュニティの明示された好みを繰返し受信するステップと、
前記第２コミュニティの前記好みを繰返し評価するステップと、
前記第１コミュニティを前記第２コミュニティから、前記第１コミュニティのメンバーが共通の明示された好みを持つように繰返し決定するステップとを有し、
前記第１コミュニティがより大きな第２コミュニティから繰返し生じ、且つ決定され、又、前記第１コミュニティは共通の好みを有することによって繰返し決定されることを特徴とする請求項１に記載のコミュニティの好みに従ったデータストリーム送信の提供方法。
【請求項４】
個々のデータストリームを送信する前記ステップが更に、ＤＭＣＡを順守するように個々の前記データストリームに偏りを付けるステップを有することを特徴とする請求項１に記載のコミュニティの好みに従ったデータストリーム送信の提供方法。
【請求項５】
個々のデータストリームを送信する前記ステップが更に、
個人が個々の前記データストリームを随意的に、若しくは選択的に受信することが可能となるように、個々の前記データストリームを随意的若しくは選択可能な方法で送信するステップを有することを特徴とする請求項１に記載のコミュニティの好みに従ったデータストリーム送信の提供方法。
【請求項６】
コミュニティの好みに従ったデータストリーム送信の提供方法（９００）であって、
楽曲及び／又は音楽ビデオを含む第１音楽関連データベースから生じる第１データストリーム中のコンテンツに関して、複数のメンバーを有する第１コミュニティの第１の明示された好みを繰返し受信するステップ（９２０）と、
前記第１音楽関連データベースから生じる第２データストリーム中のコンテンツに関して、複数のメンバーを有する第２コミュニティの第２の明示された好みを繰返し受信するステップ（９１０）と、
前記第２コミュニティの前記第２の明示された好みを評価して、評価された第２の好みを提供するステップと、
前記第１コミュニティがより大きい第２コミュニティから生じるように、評価された前記第２の好みを用いて、メンバーが第１の好みを共通に持つ前記第１コミュニティを前記第２コミュニティから繰返し決定するステップであって、前記第１の好みを共通に持つことによって前記第１コミュニティが繰返し決定されるステップと、
決定された特性を提供するべく、前記第１データストリームに関する前記第１の明示された好みだけによる特性を繰返し決定するステップ（９３０）と、
決定された前記特性に従って前記第１音楽関連データベースから生じる個々のデータストリームに偏りを付けるステップであって、個々の前記データストリームに決定された前記特性に従って偏りを付け、更に、個々の前記データストリームに前記第１コミュニティの正の第１の明示された好みにより従うように、且つ前記第１コミュニティの負の第１の明示された好みにより反するように偏りを付けるステップと、
個人が個々の前記データストリームを随意的に、若しくは選択的に受信することが可能となるように、個々の前記データストリームを随意的、若しくは選択可能な方法で送信するステップ（９４０）とを有し、
個々の前記データストリームは、前記第１データストリーム若しくは前記第２データストリームの中の前記コンテンツの分析をすることなしに、前記第１コミュニティが好むコンテンツをより多く、且つ前記第１コミュニティが好まないコンテンツをより少なく、継続的に含み、
更に、前記第１コミュニティ及び決定された前記特性がそれぞれ、前記第２コミュニティの前記第２の明示された好み及び前記第１コミュニティの前記第１の明示された好みに従って共に時系列変化することが可能となっていることを特徴とするコミュニティの好みに従ったデータストリーム送信の提供方法。
【国際調査報告】
2004503151.tif 000112